(57)【要約】【課題】従来の構成の表示記録媒体では、光導電層が常時、外光（室内光お呼び室外光にさらされるため光導電層が光劣化するという課題があった。更に観察側とは反対側に光導電体層が設けられ観察側にベタ電極が設けられているため、観察側から書込みができないという課題があった。【解決手段】表示記録媒体１は少なくとも基材２と、光を吸収する光吸収部材３と、導電体層４と、メモリー性表示層５をこの順序に積層したものであり、光書込みを行う光スイッチ素子９を画像書込み装置８側に設ける。【選択図】図１
2009294488.tif 000002
【特許請求の範囲】
【請求項１】
少なくとも基材と、光を吸収する光吸収部材と、導電体層と、メモリー性表示層をこの順序に積層した表示記録媒体。
【請求項２】
前記メモリー性表示層が、一つ又はそれぞれ互いに異なる色の光を選択反射する複数のコレステリック液晶を積層して構成されたメモリー性表示層からなることを特徴とする請求項１に記載の表示記憶媒体。
【請求項３】
前記メモリー性表示層が、一つ又はそれぞれ互いに異なる色の光を選択反射するマイクロカプセル化された複数のコレステリック液晶をバインダと共に塗布乾燥した層を積層して構成されたメモリー性表示層からなることを特徴とする請求項１に記載の表示記憶媒体。
【請求項４】
前記メモリー性表示層がそれぞれ光反射特性、及び帯電特性が異なる２種類の粒子を微小セルに封入して構成したことを特徴とする請求項１に記載の表示記録媒体。
【請求項５】
前記メモリー性表示層がそれぞれ光反射特性、及び帯電特性が異なる２種類の粒子を封入した微小セルと、該セルに複数の色からなるカラーフィルタを設けたことを特徴とする請求項１に記載の表示記録媒体。
【請求項６】
前記メモリー性表示層がそれぞれ光反射特性、及び帯電特性が異なる２種類の粒子を分散媒に分散した懸濁液を内包するカプセルをバインダと共に塗布したことを特徴とする請求項１に記載の表示記録媒体。
【請求項７】
前記メモリー性表示層がそれぞれ光反射特性、及び帯電特性が異なる２種類の粒子が分散媒を含む懸濁液として内包するカプセルをバインダと共に塗布したカプセル層と、該カプセル層に複数の色からなるカラーフィルタを積層したことを特徴とする請求項１に記載の表示記録媒体。
【請求項８】
基材が光を吸収する部材で構成され、光を吸収する光吸収層を兼ねることを特徴とする請求項１に記載の表示記憶媒体。
【請求項９】
請求項１に記載の表示記録媒体に当接される光導電層に該光導電層の表示記録媒体と当接するのとは反対側に透明導電層を設けた光スイッチ素子と、請求項１に記載の表示記録媒体の基材とは反対側に前記光スイッチ素子の光導電層を当接させる当接手段と、前記表示記録媒体の導電層と前記光スイッチ素子の透明導電層に電圧を印加する電圧印加手段と、前記表示記録媒体に表示する画像情報に従って光スポットを前記光スイッチ素子に照射する光照射手段を少なくとも含む画像書込み装置。
【請求項１０】
前記表示記録媒体のメモリー性表示層がコレステリック液晶で構成され、前記電圧印加手段が前記メモリー性表示層に印加される電圧が、前記メモリー性表示層のコレステリック液晶のしきい値電圧を境界とする複数段階の電圧を発生することを特徴とする請求項９に記載の画像書込み装置。
【請求項１１】
前記当接手段が前記表示記録媒体と前記光スイッチ素子が線接触するように構成されている請求項９に記載の画像書込み装置。
【請求項１２】
請求項１に記載の表示記録媒体の表示側に当接される接触子と、該接触子に電圧を印加する電圧印加手段と、前記接触子と前記電圧印加手段の接続を選択するスイッチを少なくとも含むペン型画像書込み装置。
【発明の詳細な説明】
【技術分野】
【０００１】
本発明は、文字情報や図形を含む画像を表示する表示記録媒体と、この表示記録媒体に画像を書込む画像書込み装置に関するものである。
【背景技術】
【０００２】
紙に代わる書き換え可能な表示記憶媒体の実現が望まれており、明るく、高いコントラストで読み易く、軽量で可とう性を有し、その他メモリー性を有し、無電源での情報表示、保存が可能である反射型フルカラーの表示記憶媒体に関する技術がいくつか提案されている。
【０００３】
その中に異なる色を選択反射するコレステリック液晶層を観察方向に積層配置するカラー表示可能な表示記憶媒体が提案されている。
【０００４】
正の誘電率異方性を有するコレステリック液晶は、螺旋軸がセル表面に垂直になり、入射光に対して選択反射現象を起こすプレーナー相、螺旋軸がほぼセル表面に平行になり、入射光を少し前方散乱させながら透過させるフォーカルコニック相、及び、螺旋構造がほどけて液晶ダイレクタが電界方向を向き、入射光をほぼ完全に透過させるホメオトロピック相、の３つの状態を示す。
【０００５】
上記の３つの相のうち、プレーナー相とフォーカルコニック相は、無電界で双安定に存在することができる。従って、コレステリック液晶の相状態は、液晶層に印加される電界強度に対して一義的に決まらず、プレーナー相が初期状態の場合には、電界強度の増加に伴って、プレーナー相、フォーカルコニック相、ホメオトロピック相の順に変化し、フォーカルコニック相が初期状態の場合には、電界強度の増加に伴って、フォーカルコニック相、ホメオトロピック相の順に変化する。
【０００６】
一方、液晶層に印加した電界強度を急激にゼロにした場合には、プレーナー相とフォーカルコニック相はそのままの状態を維持し、ホメオトロピック相はプレーナー相に相変化する。
【０００７】
従って、電圧を印加した直後のコレステリック液晶層は、スイッチング挙動を示し、印加された電圧による電界強度が、閾値以上のときには、ホメオトロピック相からプレーナー相に相変化した選択反射状態となり、閾値間のときには、フォーカルコニック相による透過状態となり、閾値以下のときには、電圧印加前の状態を継続した状態、すなわちプレーナー相による選択反射状態またはフォーカルコニック相による透過状態となる。
【０００８】
（特許文献１）には、上記コレステリック液晶を用いた無電源でメモリー性を有し、外部装置によって短時間で画像を書き換えることができる、フルカラー表示可能な表示記憶媒体と、その画像書込み方法及び画像書込み装置が開示されている。
【０００９】
図５は従来の表示記録媒体及び画像像書込み装置の概略構成を示す図である。図５において１０１は表示記憶媒体、１０２、１０３は透明基材、１０４は光吸収部材、１０５は表示側に設けた透明導電体層、１０６はメモリー性表示層、１０６Ａ，１０６Ｂ，１０６Ｃはメモリー性表示層１０６を構成するそれぞれ可視光中の互いに異なる色光を選択反射するコレステリック液晶からなる３つの液晶層、１０７は液晶層１０６Ａ，１０６Ｂ，１０６Ｃ間にそれぞれ設けた分離板、１０８は光スイッチ素子、１０９は照射される光量に応じてインピーダンスが変化する光スイッチ素子１０８を構成する光導電層、１１０は同じく光スイッチ素子１０９を構成する透明導電体層、１１１は画像書込み装置、１１２は表示記憶媒体１０１の表示面とは反対側に書込み光を照射する光照射部、１１３は画像データに基づいて表示記憶媒体１０１の透明導電層１０３と光スイッチ素子１０８の透明導電体層１０９間に電圧を印加する駆動パルス回路部、１１４は駆動パルス回路部１１３と光照射部１１２を制御する制御回路部である。
【００１０】
従来の表示記録媒体１０１では表示層１０６と光スイッチ素子１０８が一体に構成されている。表示記録媒体１０１の表示側とは反対から画像情報を入力すると、画像書込み装置８に設けられた駆動パルス回路部１１３により、駆動パルス電圧を表示記録媒体１０１の透明電極１０３と光スイッチ素子１０８に設けた透明導電層１１０間に印加し、同時に、画像情報に従って、画像書込み装置８の光照射部１１２で光照射を行い、画像を書込む構成になっている。
【特許文献１】特開２０００−１１１９４２号公報
【発明の開示】
【発明が解決しようとする課題】
【００１１】
しかしながら、上記の従来の構成の表示記録媒体では、光導電層が常時、外光（室内光及び室外光にさらされるため、光導電層が光劣化するという課題があった。更に従来の構成の表示記録媒体では、観察側とは反対側に光導電層が設けられ、観察側にベタ電極が設けられているため、観察側から書込みができないという課題があった。
【００１２】
本発明は、このような従来の課題を解決するものであり、表示記録媒体が外光にさらされても書込み特性が劣化することなく、長期に亘って使用可能な表示記録媒体及び画像書込み方法を提供することを目的とする。更に表示記録媒体に観察側から追加記録が行える表示記録媒体及び画像書込み装置を提供することを目的とする。
【課題を解決するための手段】
【００１３】
本願の第１の発明は、上記目的を達成するために、少なくとも基材と、光を吸収する光吸収部材と、導電体層と、メモリー性表示層をこの順序に積層したものである。
【００１４】
本願の第２の発明は、メモリー性表示層が、一つ又はそれぞれ互いに異なる色の光を選択反射する複数のコレステリック液晶を積層して構成した表示媒体である。
【００１５】
本願の第３の発明は、メモリー性表示層が、一つ又はそれぞれ互いに異なる色の光を選択反射するマイクロカプセル化された複数のコレステリック液晶をバインダーと共に塗布乾燥した層を積層して構成されたメモリー性表示層からなる表示媒体であり、表示媒体に押圧を与えたり、曲げたりしても画像が乱れることがなく安定した画像を表示できる。
【発明の効果】
【００１６】
本発明の表示記録媒体及び画像書込み装置によれば、表示記録媒体が外光にさらされても光劣化することが無く、長時間に亘り安定して書込みができ、更に表示側から簡単に部分的な追記を行うことができる。
【発明を実施するための最良の形態】
【００１７】
以下、本発明の実施の形態について説明する。
【００１８】
（実施の形態１）
図１は本発明の実施の形態における表示記録媒体の概略構成を示す図、図２は本発明の実施の形態における画像像書込み装置の概略構成を示す図、図３は本発明の他の実施の形態における表示記録媒体の概略構成を示す図である。
【００１９】
図１において、１は表示記憶媒体、２は基材、３は光吸収部材、４は導電体層、５はメモリー性表示層、５Ａ，５Ｂ，５Ｃはメモリー性表示層５を構成するそれぞれ可視光中の互いに異なる色光を選択反射するコレステリック液晶からなる３つの液晶層、６は液晶層５Ａ，５Ｂ，５Ｃ間にそれぞれ設けた分離板である。更に７は必要に応じて設けられる保護を兼ねた乱反射防止層である。
【００２０】
基材２は、ガラスやシリコン、またはポリエステル（ポリエチレンテレフタレート）、ポリスルホン、ポリエーテルスルホン、ポリカーボネートなどの高分子フィルムを用いることができ、絶縁性を有する材料により形成する。
【００２１】
光吸収部材３は、液晶層５Ａ，５Ｂ，５Ｃを透過した入射光を吸収するものであれば、特に限定されるものではなく、無機物や、ブラック色素が含有された高分子などの絶縁性を有する材料を用いることができ、液晶層５Ａ，５Ｂ，５Ｃへの分圧比を大きくするため、できるだけ誘電率の大きいことが好ましい。光吸収部材３は図３に示すように基材２を兼ねる構成も可能である。
【００２２】
導電体層４は、ＩＴＯやＳｎＯ2などの導電性を有する材料によって、基材２上に蒸着法やスパッタ法などにより形成する。また、必要に応じて、その表面に、液晶配向膜などの公知の機能性膜を形成してもよい。
【００２３】
液晶層５Ａ，５Ｂ，５Ｃを構成するコレステリック液晶は、ステロイド系コレステロール誘導体、あるいはシッフ塩基系、アゾ系、エステル系、ビフェニル系などのネマチック液晶の一部に光学活性基を導入したカイラルネマチック液晶、またはこれらを、シッフ塩基系、アゾ系、アゾキシ系、エタン系、ビフェニル系、ターフェニル系、シクロヘキシルカルボン酸エステル系、ヘェニルシクロヘキサン系、安息香酸エステル系、ピリミジン系、ジオキサン系、トラン系、シクロヘキシルシクロヘキサンエステル系、アルケニル系などの正の誘電率異方性を有するネマチック液晶、またはこれらの混合液晶に、カイラル剤として添加した材料を用いることができる。
【００２４】
コレステリック液晶の螺旋ピッチは、ネマチック液晶に対するカイラル剤の添加量で調整し、例えば、液晶部５Ａ，５Ｂ，５Ｃの選択反射光の中心波長が、それぞれ４００〜５００ｎｍ，５００〜６００ｎｍ，６００〜７００ｎｍの範囲内になるように選ばれる。
【００２５】
また、液晶層５Ａ，５Ｂ，５Ｃをコレステリック液晶のみからなる構造及びコレステリック液晶の連続相中に網目状の高分子を含むＰＮＬＣ構造や、高分子の骨格中にコレステリック液晶がドロップレット状に分散されたＰＤＬＣ構造とすることもできる。ＰＮＬＣ構造やＰＤＬＣ構造とすることによって、コレステリック液晶と高分子の界面にアンカリング効果が発生し、無電圧でのプレーナー相またはフォーカルコニック相の保持状態を安定にすることができ、更にスイッチング速度を向上させることができる。また、螺旋軸の揺らぎによって視野角が向上する。
【００２６】
分離板６は、基材２と同様の高分子フィルムを用いることができ、光透過性を有する材料により形成する。その厚みは、数μｍ〜数１０μｍで、液晶層５Ａ，５Ｂ，５Ｃへの分圧比を大きくするため、できるだけ誘電率の大きいことが好ましい。また、必要に応じて、その表面に、液晶配向膜などの公知の機能性膜を形成してもよい。
【００２７】
更に、図２において、８は画像書込み装置、９は表示記録媒体１に密着させられる光スイッチ素子、１０は照射される光量に応じてインピーダンスが変化する光スイッチ素子９を構成し光導電層、１１は同じく光スイッチ素子９を構成する透明導電体層、１２は表示記録媒体１を光スイッチ素子９に密着させる押圧ローラ、１３は表示記憶媒体１の表示面側に書込み光を照射するレーザースキャンユニット、１４は駆動パルス回路部、１５は画像データに基づいて、電圧印加部１３が表示記憶媒体１の導電層４と光スイッチ素子９の導電体層１１間に電圧を印加する駆動パルス回路１４と、バイアス電圧と、レーザースキャンユニット１３が光導電層１０に照射する書込み光を制御する制御回路部、１６ａは駆動パルス回路部１４と光スイッチ素子９をつなぐ接触子、１６ｂは駆動パルス回路部１４と表示記録媒体１の導電層４をつなぐ接触子である。
【００２８】
光導電層１０は、電荷発生材料を、蒸着法、スパッタ法、イオンプレーティング法、ＣＶＤ法などによって成膜したものの他、電荷発生材料を樹脂バインダーに分散し、スピンコート法、ディップ法等によって塗布したもの、あるいは、これらの電荷発生層に電荷輸送層を積層したもの等を用いることができる。
【００２９】
電荷発生材料としては、ａ−Ｓｉ等の無機材料、フタロシアニン系、アゾ系等の有機材料、電荷輸送材料として、カルバゾール系、トリアゾール系、アミン系、ニトロフルオレノン系などの有機材料を用いることができる。
【００３０】
本発明による画像書込みは、画像書込み装置８と表示記憶媒体１とで別々に形成されている。画像の書込みに当たっては、画像書込み装置８の光スイッチ素子９と表示記憶媒体１の表示側が押圧ローラ１２により密着させられる。このとき、光スイッチ素子９と表示記憶媒体１は押圧ローラ１２で押されるため線接触する。
【００３１】
駆駆動パルス回路部１５により駆動パルス電圧が印加されると、接触子１６ａと、接触子１６ｂにより、画像書込み装置８の光スイッチ素子９の透明導電体層１１と表示記憶媒体１の導電体層４間に駆動電圧が印加される。
【００３２】
然し、この状態では光スイッチ素子９に書込み光が照射されていないため、光スイッチ層は高抵抗のままであり、メモリー性表示層５には電界が印加されない。
【００３３】
画像を書込むためには、画素データに従って、画像書込み装置８に設けた光スイッチ素子９にレーザースキャンユニット１３により選択的に書込み光をスイッチングさせ、表示記録媒体１を搬送手段（図示せず）により１ラインごとに搬送しながら走査する。
【００３４】
表示記憶媒体１の導電体層４と画像書込み装置８の透明導電体層１１間には、色毎に画像を形成する走査の方法と、駆動パルス電圧の選択により同一ラインを電圧を変えて３回繰り返し走査し、ＲＧＢデータを得る線順次走査方法と、同一駆動パルス電圧で表示記録媒体１の全面を走査した後、電圧を変えて再走査し、この動作を３回繰り返して面順次でＲＧＢデータを得る面順次方法が可能である。
【００３５】
但し、レーザースキャンユニット１３はこれに限定されるものでなく、任意の光量の書込み光を表示記憶媒体１に照射できるものであればよく、ＬＥＤアレイ、ＣＲＴディスプレイ、プラズマディスプレイ、ＥＬディスプレイなどの自発光素子や、液晶シャッター等の調光素子等が採用可能である。
【００３６】
このように、表示記憶媒体１に対して、外部の画像書込み装置８から駆動パルス電圧を印加し、任意の光量の書込み光を照射すると、メモリー性表示層５の全体に任意の駆動パルス電圧が印加され、各液晶層５Ａ，５Ｂ，５Ｃには、静電容量分圧による電圧が印加される。その電圧に応じて、各液晶層５Ａ，５Ｂ，５Ｃそれぞれのコレステリック液晶の配向状態が変化する。
【００３７】
従って、本願発明の表示記憶媒体１においては、メモリー性表示層５に印加される駆動パルス電圧の、各液晶層５Ａ，５Ｂ，５Ｃへの分配比と、実際に印加される電圧に対する各液晶層５Ａ，５Ｂ，５Ｃの電気光学応答との２つを制御することによって、メモリー性表示層５の全体に印加される駆動パルス電圧に対する各液晶層５Ａ，５Ｂ，５Ｃの電気光学応答を所望の構成にすることができる。
【００３８】
具体的には液晶層５Ａ，５Ｂ，５Ｃのそれぞれのプレーナー相からフォーカルコニック相に変化する閾値電圧、及びフォーカルコニック相からプレーナー相に変化する閾値電圧が、液晶層５Ａ，５Ｂ，５Ｃの順序で順次高くなるように設定し、リセット電圧で各液晶層５Ａ，５Ｂ，５Ｃをプレーナー相またはフォーカルコニック相にした後、セレクト電圧で更に、プレーナー相をフォーカルコニック相に、またはフォーカルコニック相をプレーー相に変化させる。
【００３９】
つまり、駆動パルス電圧は交流パルスのリセット期間及びセレクト期間、その後の無電圧の表示期間によって構成され、リセット期間の電圧＞セレクト期間の電圧の関係をもつ駆動パルス電圧を印加し、少なくともリセット期間及びセレクト期間を含むように、レーザースキャンユニット１３で書込み光を照射する。
【００４０】
その結果、以下の状態を作り出すように印加する駆動パルス電圧を選択する。
【００４１】
液晶層５Ａがプレーナー組織で、液晶層５Ｂ，５Ｃがフォーカルコニック組織の状態。
【００４２】
液晶層５Ｂがプレーナー組織で、液晶層５Ａ，５Ｃがフォーカルコニック組織の状態。
【００４３】
液晶層５Ｃがプレーナー組織で、液晶層５Ａ，５Ｂがフォーカルコニック組織の状態。
【００４４】
液晶層５Ａ，５Ｂがプレーナー組織で、液晶層５Ｃがフォーカルコニック組織の状態。
【００４５】
液晶層５Ｂ，５Ｃがプレーナー組織で、液晶層５Ａがフォーカルコニック組織の状態。
【００４６】
例えば、液晶層５Ａ，５Ｂ，５ＣがそれぞれＲ，Ｇ，Ｂの各色を選択反射するものであれば、液晶層５Ａ，５Ｂ，５Ｃの３層全てがプレーナー組織の状態であると白（Ｗ）になる。一方、液晶層５Ａ，５Ｂ，５Ｃの３全てがフォーカルコニック組織の状態であると黒（Ｂ）になる。
【００４７】
液晶層５Ａがプレーナー組織で、液晶層５Ｂ，５Ｃがフォーカルコニック組織の状態であるとＲの反射光が得られ、液晶層５Ｂがプレーナー組織で、液晶層５Ａ，５Ｃがフォーカルコニック組織の状態であるとＧの反射光が得られる。液晶層５Ｃがプレーナー組織で、液晶層５Ａ，５Ｂがフォーカルコニック組織の状態であるとＧの反射光が得られる。
【００４８】
更に、ディザ法や誤差拡散法などの面積階調を行うことによって、多値のカラー画像を表示できる。
【００４９】
更に、上記の説明においては、表示記録媒体１に画像を書込むのに画像書込み装置８を用いたが、表示記録媒体１の導電体層４と表示記録媒体１の表面に点接触し、駆動パルス電圧を印加できる構成のものであれば、画像書込み装置８に設けた光スイッチ素子１０を介して、光を照射することなく画像の書込みが可能である。
【００５０】
（実施の形態２）
図４は本発明の他の実施の形態におけるペン型画像像書込み装置の概略構成を示す図である。図４において、１７はペン型画像書込み装置、１８は駆動パルス回路部、１９は接触子、２０は駆動パルス回路１８と接触子１９の接続を行うスイッチである。
【００５１】
このように構成されたペン型画像書込み装置１７で表示記録媒体に画像を書込むには、表示記録媒体１の表示側から接触子１９を当接してスイッチ２０を操作し、駆動パルス回路１８から駆動パルス電圧を接触子１９に印加すると同時に、ペン型画像書込み装置１７を表示記録媒体１の表面を自由に移動させることにより、線情報として画像を書込むことができる。
【００５２】
画像の書込みを停止する場合には、スイッチ２０により駆動パルス回路１８と接触子１９の接続を解除することで行われる。
【００５３】
実施の形態１と実施の形態２が異なるのは、書込み装置に光スイッチ素子及びレーザースキャンユニットがないことである。ペン型画像書込み装置１７では書込み位置を接触子１９で選択するため、第一の実施の形態に設けられたレーザースキャンユニットと電圧印加を制御する光スイッチ素子が不要である。
【００５４】
上述したように、本発明によれば、メモリー性を有し外部装置によって画像を書き換えることができるフルカラー表示が可能な表示記憶媒体と、その光導電層からなる光スイッチ素子を設けた画像書込み装置により、光導電層を装置内の暗所に設置でき、光導電層の外光にさらされることによる光劣化を防止することができる。また、表示記録媒体の表示側に導電層がなく表示側から部分的に書換えを行うことができる。
【産業上の利用可能性】
【００５５】
本発明にかかる表示記憶媒体及び画像書込み装置は、少なくとも、基材と、光を吸収する光吸収部材と、導電体層と、メモリー性表示層をこの順序に積層した表示記録媒体であればよく、光反射特性、及び帯電特性が異なる２種類の粒子を微小セルに封入して構成した電子粉流体を用いた表示層カラーフィルタを設けた表示記録媒体、あるいは光反射特性、及び帯電特性が異なる２種類の粒子が分散媒を含む懸濁液として内包するカプセルをバインダーと共に塗布したカプセル層に複数の色からなるカラーフィルタを積層した表示記録媒体に対しても好適である。
【図面の簡単な説明】
【００５６】
【図１】本発明の実施の形態における表示記録媒体の概略構成を示す図
【図２】本発明の実施の形態における画像像書込み装置の概略構成を示す図
【図３】本発明の他の実施の形態における表示記録媒体の概略構成を示す図
【図４】本発明の他の実施の形態におけるペン型画像像書込み装置の概略構成を示す図
【図５】従来の表示記録媒体及び画像像書込み装置の概略構成を示す図
【符号の説明】
【００５７】
１    表示記録媒体
２    基材
３    光吸収部材
４    導電体層
５    メモリー性表示層
５Ａ    液晶層
５Ｂ    液晶層
５Ｃ    液晶層
６    分離板
７    乱反射防止層
８    画像書込み装置
９    光スイッチ素子
１０    光導電層
１１    透明導電体層
１２    押圧ローラ
１３    レーザースキャンユニット
１４    駆動パルス回路部
１５    制御回路部
１６ａ    接続子
１６ｂ    接続子
１７    ペン型画像書込み装置
１８    駆動パルス回路部
１９    接触子
２０    スイッチ
【図１】
2009294488.tif 000003
【図２】
2009294488.tif 000004
【図３】
2009294488.tif 000005
【図４】
2009294488.tif 000006
【図５】
2009294488.tif 000007